(57)【特許請求の範囲】
【請求項１】
シート材を二つに折り曲げ、その粘着剤部分を貼り合わせて作成できる簡易型シールワッペン（１）であって、
前記シート材に形成された折り曲げ線（４）を挟み、その一側に所定の事項が表示された表示部（５）と、その他側に安全ピンなどの留め具（６）用の通し穴（７）が開けられた支持部（８）とを有するワッペン本体（３）と、
前記ワッペン本体（３）の支持部（８）の通し穴（７）部分の裏面以外と、該通し穴（７）部分が貼り合わされる表示部（５）部分の裏面以外に塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り、前記支持部（８）の通し穴（７）に留め具（６）を取り付け、該ワッペン本体（３）を前記台紙（２）から剥がし、前記表示部（５）部分の粘着剤（９）と前記支持部（８）部分の粘着剤（９）とが貼り合わせられる、ことを特徴とする簡易型シールワッペン。
【請求項２】
シート材を二つに折り曲げ、その粘着剤部分を貼り合わせて作成できる簡易型シールワッペン（２１）であって、
前記シート材に形成された折り曲げ線（４）を挟み、その一側に所定の事項が表示された表示部（５）と、その他側の支持部（８）とを有するワッペン本体（３）と、
前記折り曲げ線（４）位置に開けられた、安全ピンなどの留め具（６）用の通し穴（２２）と、
前記ワッペン本体（３）の支持部（８）の通し穴（２２）部分の裏面以外と、該通し穴（２２）部分が貼り合わされる表示部（５）部分の裏面以外に塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り、該折り曲げ線（４）の通し穴（２２）に留め具（６）を取り付け、該ワッペン本体（３）を前記台紙（２）から剥がし、前記表示部（５）部分の粘着剤（９）と前記支持部（８）部分の粘着剤（９）とが貼り合わせられる、ことを特徴とする簡易型シールワッペン。
【請求項３】
シート材を二つに折り曲げ、その粘着剤部分を貼り合わせて作成できる簡易型シールワッペン（５１）であって、
前記シート材に形成された折り曲げ線（４）を挟み、その一側に所定の事項が表示された表示部（５）と、その他側の支持部（８）とを有するワッペン本体（３）と、
前記ワッペン本体（３）の裏面に、前記折り曲げ線（４）の周囲は除外して塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り該ワッペン本体（３）を前記台紙（２）から剥がし、前記表示部（５）部分の粘着剤（９）と前記支持部（８）部分の粘着剤（９）とが貼り合わせ、該折り曲げ線（４）部分に形成された筒状部（５２）に留め具（６）が取り付けられる、ことを特徴とする簡易型シールワッペン。
【請求項４】
前記粘着剤（９）は、前記ワッペン本体（３）の表示部（５）の外周部分の裏面には塗布されていない、ことを特徴とする請求項１、２又は３のいずれかに記載の簡易型シールワッペン。
【請求項５】
前記折り曲げ線（４）は、前記ワッペン本体（３）にミシン目を施したものである、ことを特徴とする請求項１、２又は３のいずれかに記載の簡易型シールワッペン。
【発明の詳細な説明】
【技術分野】
【０００１】
本発明は、担当者名、役職名、スローガン、宣伝等を安全ピン又はクリップを使い、衣服等に装着し、周囲にその存在を知らしめるためのもので、特に短期間使用する簡易で安価に作成することができる簡易型シールワッペンに関する。
【背景技術】
【０００２】
工事、建設などの作業現場において、その人の役職名、担当者名などを表示するワッペンが使用されている。例えば、安全責任者、安全管理者、衛生管理者、職長などが表示されたワッペンが使用されている。また、安全衛生、安全管理、安全第一、危険予知、指差し確認、強化期間などの安全標識用や啓発用の事項が表示されたワッペンも多く使用されている。更に、販売促進用のワッペン、例えば「キャンペーン中」、「セール中」、「実施中」などが表示されたワッペン、記念用のバッジ・ワッペン、例えば「・・周年記念」、「・・ｔｈ」などが表示された種々のワッペンが使用されている。
【０００３】
このようなワッペンは、塩化ビニル製の軟らかい素材に種々の事項が印刷された表示部と、その裏面に安全ピン又はクリップが取り付けられたものである。ワッペンの構造上の種類としては、素材にコシのある平らな形態や、中身にウレタンスポンジ素材を入れた膨らむ形状タイプのワッペンがある。これは若干膨らみがあり、ふわふわした触感のワッペンである。ワッペンの取付構造としては、台座付きの安全ピンが取り付けられた形態のものが多い。または裏面に２穴を開けて安全ピンを通す形態のものがある。
【０００４】
最近は、このようなワッペンに代えて、ワッペンシールが普及している。例えばイベントやキャンペーンのスタッフ証として使われることが多く、簡単に洋服や布に貼ることができるものである。ワッペンシールは、表面に所定の文字などが印刷され、裏面に粘着剤が塗布されたもので、服の上から簡単に貼れて生地を傷めず、剥がした跡も衣服に残らないようになっている。ワッペンより短期間で安価に製作できるものである。１日又は数時間程度の使用に適している。
【０００５】
このようなワッペンに関する技術が種々提案されている。例えば特許文献１の実用新案登録第３２１６９８６号公報「着脱式ワッペン」のように、基布の表面に装飾を施したワッペン本体を、平板状部材の裏面側に対象物への固定手段を備えた装着用アタッチメントの表面に、前記ワッペン本体の裏面に設けた接着体で着脱自在に取り付けてなるワッペンであって、前記接着体は、前記ワッペン本体側の接着力が前記装着用アタッチメント側の接着力よりも強く前記ワッペン本体を前記装着用アタッチメントから引き剥がす操作で前記ワッペン本体から分離されずに前記装着用アタッチメントから分離されるものとして、前記対象物に固定される前記装着用アタッチメントと装飾用の前記ワッペン本体との間で着脱操作の繰り返しが可能とされている着脱式ワッペンが提案されている。
【先行技術文献】
【特許文献】
【０００６】
【特許文献１】実用新案登録第３２１６９８６号公報
【発明の概要】
【発明が解決しようとする課題】
【０００７】
特許文献1の「着脱式ワッペン」のように、安をワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。 着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。 着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。 着脱式ワッペンをワッペン本体と装着用アタッチメントとに分けてワッペン本体側に設けた接着体を介し装着用アタッチメントとの間でワッペン本体を着脱自在の状態で取り付けた本考案によると、様々な対象物に対し手間を要することなく適度な固定力で着脱自在に設けられるものとなる。全ピンの操作がし易いものの、部品点数の増加により製造コストが増加しやすい。また、ワッペンには、安全ピン又はクリップ等の留め具といった突起した部材があるため、梱包箱に入れた状態で運搬するときに、ワッペンの重要な表示面の印刷部分に傷を付けるおそれがあるという問題を有していた。
【０００８】
一方、ワッペンシールは粘着剤の付着力が１回しか利用できない。一旦外すと粘着力が極端に低下して再度衣服に貼りつけても簡単に外れて落下しやすくなる。短期間とはいえ、数日又は数週間の利用には耐えられないという問題を有していた。
【０００９】
本発明の発明者は、単に数週間から数か月程度であれば簡易な構造のワッペンでも、表示機能は十分果たせることに着目した。ワッペンシールの粘着剤とその手軽さに着目し、この粘着剤を利用して、ワッペンの体を成すように１枚のシート材から、これを折り曲げて簡単に作れ、その費用も極端に安価になることに着目した。
【００１０】
本発明は、かかる問題点を解決するために創案されたものである。すなわち、本発明の目的は、組み立て前の形状では薄いシート状の嵩張らず、その保管が容易であり、使用に際して容易に組み立てることができ、数週間から数か月の使用に耐えることができる安価な簡易型シールワッペンを提供することにある。
【課題を解決するための手段】
【００１１】
本発明は、シート材を二つに折り曲げ、その粘着剤部分を貼り合わせて作成できる簡易型シールワッペン（１）であって、
前記シート材に形成された折り曲げ線（４）を挟み、その一側に所定の事項が表示された表示部（５）と、その他側に安全ピンなどの留め具（６）用の通し穴（７）が開けられた支持部（８）とを有するワッペン本体（３）と、
前記ワッペン本体（３）の支持部（８）の通し穴（７）部分の裏面以外と、該通し穴（７）部分が貼り合わされる表示部（５）部分の裏面以外に塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り、前記支持部（８）の通し穴（７）に留め具（６）を取り付け、該ワッペン本体（３）を前記台紙（２）から剥がし、前記表示部（５）部分の粘着剤（９）と前記支持部（８）部分の粘着剤（９）とが貼り合わせられる、ことを特徴とする。
【００１２】
また、本発明は、シート材を二つに折り曲げ、その粘着剤部分を貼り合わせて作成できる簡易型シールワッペン（２１）であって、
前記シート材に形成された折り曲げ線（４）を挟み、その一側に所定の事項が表示された表示部（５）と、その他側の支持部（８）とを有するワッペン本体（３）と、
前記折り曲げ線（４）位置に開けられた、安全ピンなどの留め具（６）用の通し穴（２２）と、
前記ワッペン本体（３）の支持部（８）の通し穴（２２）部分の裏面以外と、該通し穴（２２）部分が貼り合わされる表示部（５）部分の裏面以外に塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り、該折り曲げ線（４）の通し穴（２２）に留め具（６）を取り付け、該ワッペン本体（３）を前記台紙（２）から剥がし、前記表示部（５）部分の粘着剤（９）と前記支持部（８）部分の粘着剤（９）とが貼り合わせられる、ことを特徴とする。
【００１４】
また、本発明は、シート材を二つに折り曲げ、その粘着剤部分を貼り合わせて作成できる簡易型シールワッペン（５１）であって、
前記シート材に形成された折り曲げ線（４）を挟み、その一側に所定の事項が表示された表示部（５）と、その他側の支持部（８）とを有するワッペン本体（３）と、
前記ワッペン本体（３）の裏面に、前記折り曲げ線（４）の周囲は除外して塗布された粘着剤（９）と、
前記ワッペン本体（３）の裏面に剥離自在に貼り付けられた台紙（２）と、から成り、
前記ワッペン本体（３）を構成する表示部（５）の外形縁（５ａ）が、支持部（８）の外形縁（８ａ）より大きく、該表示部（５）と該支持部（８）を折り曲げて粘着剤（９）同士を貼り合わせたときに、常に支持部（８）の外形縁（８ａ）が表示部（５）の外形縁（５ａ）に隠れるように構成され、
組み立て前の状態では、長方形状のシート状の形態を有し、
その組み立てる際に、前記ワッペン本体（３）を前記台紙（２）と共に、前記折り曲げ線（４）部分で二つに折り該ワッペン本体（３）を前記台紙（２）から剥がし、前記表示部（５）部分の粘着剤（９）と前記支持部（８）部分の粘着剤（９）とが貼り合わせ、該折り曲げ線（４）部分に形成された筒状部（５２）に留め具（６）が取り付けられる、ことを特徴とする。
【００１５】
前記粘着剤（９）は、前記ワッペン本体（３）の表示部（５）の外周部分の裏面には塗布されていない、ことが好ましい。
前記折り曲げ線（４）は、前記ワッペン本体（３）にミシン目を施したものである。
【発明の効果】
【００１６】
本発明の構成では、簡易型シールワッペン（１，２１）の使用に際して、ワッペン本体（３）は、折り曲げ線（４）部分で二つに折り、このワッペンの体を成した裏面に相当する支持部（８）の通し穴（７）に留め具（６）を通す。ワッペン本体（３）を台紙（２）から剥がす。この表示部（５）の粘着剤（９）と支持部（８）の粘着剤（９）とを貼り合わせて完成する。これでシート状の形態から１枚のワッペンの体をなす。通常のワッペンとして、安全ピンなどの留め具（６）で衣服などに容易に装着することができる。
【００１７】
組み立て前の状態では、長方形状のシート状の形態をなし、大量にあっても、保管や運搬が容易である。また、安全ピン又はクリップ等の留め具（６）を取り付ける前の状態であれば、出っ張った部材がないため、ワッペンの重要な表示面の印刷部分に傷を付けるおそれがない。
【００１８】
粘着剤（９）は、ワッペン本体（３）の支持部（８）の通し穴（７）部分には塗布されていないので、通し穴（７）に留め具（６）を容易に通すことができる。
【００１９】
折り曲げ線（４）部分で二つ折りにして、表示部（５）の粘着剤（９）と支持部（８）の粘着剤（９）とを貼り合わせる際に、多少の位置ずれが生じても、表示部（５）の外形縁（５ａ）が、支持部（８）の外形縁（８ａ）より大きいので、常に支持部（８）の外形縁（８ａ）が表示部（５）の外形縁（５ａ）に隠れるために、見栄えが悪くなることがない。
【図面の簡単な説明】
【００２０】
【図１】本発明の実施例１の簡易型シールワッペンを組み立てる前の状態を示す表面図である。
【図２】本発明の実施例１の簡易型シールワッペンを組み立てる前の状態を示す裏面図であり、台紙は仮想線で表示している。
【図３】実施例１の簡易型シールワッペンを組み立てる作業手順を示すフロー図である。
【図４】実施例１の簡易型シールワッペンを組み立てる状態を示す概略説明図であり、（ａ）はワッペン本体を台紙と共に、折り曲げ線部分で二つ折りにする状態、（ｂ）はワッペン本体の支持部部分を台紙から剥がす状態、（ｃ）は支持部の通し穴に安全ピン（留め具）を差し込む状態、（ｄ）はワッペン本体を台紙から剥がす状態、（ｅ）は表示部と支持部とを貼り付ける状態である。
【図５】実施例１の簡易型シールワッペンを組み立てた状態を示す裏面図である。
【図６】表示部と支持部のそれぞれの外形縁の相違を示す拡大部分表面図である。
【図７】本発明の簡易型シールワッペンの変形例１を示し、組み立てる前の状態を示す表面図である。
【図８】実施例２の組み立てる前の簡易型シールワッペンを示す表面図である。
【図９】実施例２の簡易型シールワッペンを組み立てた状態を示す裏面図である。
【図１０】実施例２の簡易型シールワッペンの変形例１を示し、組み立てる前の状態を示す表面図である。
【図１１】実施例２の簡易型シールワッペンの変形例２を示し、組み立てる前の状態を示す表面図である。
【図１２】実施例３の簡易型シールワッペンを示し、（ａ）は組み立てる前のワッペン本体の表面図と、（ｂ）は名札用クリップの正面図である。
【図１３】実施例３の簡易型シールワッペンを組み立てた状態を示す裏面図である。
【図１４】実施例４の簡易型シールワッペンを示し、（ａ）は組み立てる前の状態の表面図、（ｂ）は裏面図である。
【図１５】実施例４の簡易型シールワッペンを組み立てた状態を示す図であり、（ａ）は支持部、（ｂ）は安全ピンを通した状態の表示部である。
【発明を実施するための形態】
【００２１】
本発明の簡易型シールワッペンは、シート状のワッペン本体を台紙と共に、折り曲げ線部分で二つに折り、支持部に留め具又は名札用クリップを取り付け、ワッペン本体を台紙から剥がし、表示部部分の粘着剤と支持部部分の粘着剤とが貼り合わせられるとワッペンの体を成すものである。
【実施例１】
【００２２】
＜簡易型シールワッペンの組み立てる前の構成＞
以下、本発明の実施の形態を図面を参照して説明する。
図１は本発明の実施例１の簡易型シールワッペンを組み立てる前の状態を示す表面図である。図２は本発明の実施例１の簡易型シールワッペンを組み立てる前の状態を示す裏面図であり、台紙は仮想線で表示している。
実施例１の簡易型シールワッペン１は、図１に示すように、台紙２に貼られたシート状のワッペン本体３の粘着面同士を貼り合わせて作成するワッペンである。そのワッペンの表示面には文字、図が表示されている。本発明の簡易型シールワッペン１は、組み立てる前の形状はシート状の形態である。
【００２３】
ワッペン本体３は、シート表面に形成された折り曲げ線４を挟み、その一側に所定の事項が印刷された表示部５と、その他側に安全ピンなどの留め具６用の通し穴７を有する支持部８から成る。図示例は所謂紋章型のワッペンであるために、略長方形状のシートである。素材として例えば、ポリ塩化ビニルなどの軟質合成樹脂がある。
【００２４】
留め具６用の通し穴７は、支持部８のシートに単純に直線的な切れ込みを入れたものではない。図１に示すように、通し穴７の両端に半円弧状に補強部７ａを形成している。この半円弧状の補強部７ａにより、通し穴７に安全ピンなどの留め具６を差し込む際、組み立てて衣服等に装着しているときに、留め具６が引っ張られても、この補強部７ａのいわゆる「遊び」部分で通し穴７が裂け、又は切れることを防止するようになっている。この補強部７ａは通し穴７にいわゆる「遊び」状態を付与できる形状であれば、この半円弧状の切れ込みに限定されない。
【００２５】
折り曲げ線４は、例えば、ワッペン本体３にミシン目を施したものである。このミシン目に限定されず、シート材に、線状の薄肉に形成し、折り曲げやすくした構成でもよい。この折り曲げ線４は、表示部５と支持部８とを連結し、かつ容易に折り曲げることができる構造、又は素材であれば、ミシン目、薄肉以外の種々の構成にすることができる。
【００２６】
ワッペン本体３のシート裏面に粘着剤９が塗布されている。このワッペン本体３のシート裏面には、台紙２が剥離自在に貼り付けられている。図示するように、台紙２はワッペン本体３より面積が広いものがよい。また、ワッペン本体３のシートの剛性が、台紙２の剛性より大きいものが好ましい。これは、ワッペン本体３に貼り付いた状態から台紙２を剥がしやすくするためである。
【００２７】
粘着剤９は、ワッペン本体３の表示部５と支持部８の裏面全部に塗布する必要はない。図２の裏面図に示すように、ワッペン本体３の支持部８の通し穴７部分の裏面と、この通し穴７部分が貼り合わされる表示部５の裏面に部分的に塗布しない、不塗布部分９ａにすることができる。このように支持部８の通し穴７部分に粘着剤９が塗布されていない、不塗布部分９ａがあると、通し穴７に安全ピンなどの留め具６を容易に通すことができる。また、ワッペン本体３の表示部５と支持部８を貼り合わせたときに、粘着剤９が食み出すことを防止できる。
勿論、簡易型シールワッペン１を簡易に製造するときは、ワッペン本体３の裏面全部に塗布することも可能である。
【００２８】
ワッペン本体３の組み立て前の状態は、長方形状のシート状の形態を有し、大量にあっても、保管や運搬が容易である。また、安全ピン又はクリップ等の留め具６を取り付ける前の状態であれば、出っ張った部材がないため、ワッペンの重要な表示部５の印刷部分に傷を付けるおそれがない。なお、予め通し穴７に安全ピン（留め具６）を取り付けた状態であっても、組み立てる前であれば留め具６が重ね合わせた他のワッペン本体３の支持部８には当たるが、他のワッペン本体３の表示部５の印刷部分に傷を付けるおそれはない。
【００２９】
＜簡易型シールワッペンの組立方法＞
図３は実施例１の簡易型シールワッペンを組み立てる作業手順を示すフロー図である。図４は実施例１の簡易型シールワッペンを組み立てる状態を示す概略説明図であり、（ａ）はワッペン本体を台紙と共に、折り曲げ線部分で二つ折りにする状態、（ｂ）はワッペン本体の支持部部分を台紙から剥がす状態、（ｃ）は支持部の通し穴に安全ピン（留め具）を差し込む状態、（ｄ）はワッペン本体を台紙から剥がす状態、（ｅ）は表示部と支持部とを貼り付ける状態である。
簡易型シールワッペン１を組み立てる際には、ワッペン本体３を台紙２と共に、折り曲げ線４部分で二つに折る（図４（ａ））。これは折り曲げ線４部分に折り目を付けて後の作業を円滑に進めるためである。ワッペン本体３の支持部８部分を台紙２から剥がし（図４（ｂ））、支持部８の通し穴７に安全ピン等の留め具６を取り付ける（図４（ｃ））。
次に、この支持部８に留め具６を（安全ピン）を取り付けた状態でワッペン本体３を台紙２から剥がす（図４（ｄ））。
最後に表示部５の粘着剤９と支持部８の粘着剤９とを貼り合わせる（図４（ｅ））。これでワッペンの体をなす。
ワッペンの体をなした状態で、通常のワッペンとして、安全ピンなどの留め具６を衣服などに装着する。
【００３０】
図５は実施例１の簡易型シールワッペンを組み立てた状態を示す裏面図である。図６は表示部と支持部のそれぞれの外形縁の相違を示す拡大部分表面図である。
実施例１の簡易型シールワッペン１は、ワッペン本体３を構成する表示部５の外形縁５ａが、支持部８の外形縁８ａより大きく、表示部５と支持部８を折り曲げて粘着剤９同士を貼り合わせたときに、常に支持部８の外形縁８ａが表示部５の外形縁５ａに隠れるように構成した。図示例では支持部８の外形縁８ａと表示部５の外形縁５ａとは、間隔「ａ」だけ相違することを示す。なお、この間隔を広げすぎると、粘着剤９の粘着面の露出面積が広くなり好ましくない。
【００３１】
折り曲げ線４部分で二つ折りにして、表示部５の粘着剤９と支持部８の粘着剤９とを貼り合わせる際に、多少の位置ずれが生じても、表示部５の外形縁５ａが、支持部８の外形縁８ａより大きいので、常に支持部８の外形縁８ａが表示部５の外形縁５ａに隠れる。そのために見栄えが悪くなることがない。ワッペン本体３の表示部５の外周部分の裏面には粘着剤９を塗布しない。
【００３２】
図５の組み立てた状態の簡易型シールワッペンの裏面図に示すように、安全ピン又はクリップ等の留め具６を取り付ける通し穴７は、２個の穴を形成する切り欠きが、平行線ではなく、位置によって間隔が異なる状態になっている（図示では「ｎ」と「ｗ」）。これは、本発明の簡易型シールワッペン１は、最初から組み立てられたものであれば、留め具６である安全ピンも所定の統一されたものが使用される。これに対して、本発明の簡易型シールワッペン１は、シート状のものを組み立て、その後に安全ピン（留め具６）を取り付けるものであるために、安全ピン（留め具６）の大きさが統一されていないことがある。そこで、本発明の簡易型シールワッペン１は、寸法の相違がある安全ピン（留め具６）について、何れにも対応できるようになる。
【００３３】
＜実施例１の簡易型シールワッペンの変形例１＞
図７は本発明の簡易型シールワッペンの変形例１を示し、組み立てる前の状態を示す表面図である。
本発明の簡易型シールワッペン１の折り曲げ線４は、上述したようにシールワッペンとして使用する際に、上部位置になる場所に限定されない。図７に示すようにシールワッペンとして使用する際に、横位置になる場所に折り曲げ線４を形成することも可能である。このような変形例１の簡易型シールワッペン１についても、組み立て方法等は実施例１で説明した方法と略同様である。
【実施例２】
【００３４】
＜組み立てる前の簡易型シールワッペンの構成＞
図８は実施例２の組み立てる前の簡易型シールワッペンを示す表面図である。図９は実施例２の簡易型シールワッペンを組み立てた状態を示す裏面図である。
実施例２の簡易型シールワッペン２１は、吊り下げ型のワッペンであり、図８に示すように、留め具６用の通し穴２２を折り曲げ線４の位置に形成したものである。安全ピンなどの留め具６は、ワッペンとして使用する際に、必ずしもワッペンの裏面（本発明の支持部８）に取り付ける必要はない。組み立てた状態のワッペンの上部位置に取り付ける構成でも良い。そこで、実施例２の簡易型シールワッペン２１は、この留め具６用の通し穴２２を折り曲げ線４に形成した。
【００３５】
このような構成の実施例２の簡易型シールワッペン２１は、完成品の簡易型シールワッペン２１の上部に安全ピンなどの留め具６が位置して吊り下げる状態になる。この実施例２の簡易型シールワッペン２１についても、組み立て方法等は実施例１で説明した方法と略同様である。
【００３６】
＜実施例２の簡易型シールワッペンの変形例１＞
図１０は実施例２の簡易型シールワッペンの変形例１を示し、組み立てる前の状態を示す表面図である。
本発明の簡易型シールワッペン３１は、上述した所謂紋章型の形状に限定されない。縦に細長い名札形状に形成することも可能である。この実施例２の変形例１の簡易型シールワッペン３１は、折り曲げ線４が、シールワッペンとして使用する際に、上部位置になる場所にある。組み立て方法等は実施例１，２の説明と略同様である。
【００３７】
＜実施例２の簡易型シールワッペンの変形例２＞
図１１は実施例２の簡易型シールワッペンの変形例２を示し、組み立てる前の状態を示す表面図である。
実施例２の簡易型シールワッペンについても、シールワッペンとして使用する際に、横位置になる場所に折り曲げ線４を形成することも可能である。このときの通し穴２２は支持部８に設ける。組み立て方法等は実施例１，２の説明と略同様である。
【実施例３】
【００３８】
＜組み立てる前の簡易型シールワッペンの構成＞
図１２は実施例３の簡易型シールワッペンを示し、（ａ）は組み立てる前のワッペン本体の表面図と、（ｂ）は名札用クリップの正面図である。図１３は実施例３の簡易型シールワッペンを組み立てた状態を示す裏面図である。
実施例３の簡易型シールワッペン４１は、衣服に留める部材として、安全ピンなどの留め具６ではなく、いわゆる名札用クリップ４２を用いた。実施例３の構成では、支持部８又は折り曲げ線４に安全ピンなどの留め具６用の通し穴７が開けられていない。この名札用クリップ４２は、長方形状の剛性を有する基盤部４３に、わに口クリップ４４が取り付けられたものである。この基盤部４３には、例えば粘着剤を塗布して支持部８面に取り付ける。この塗布面には剥離自在な台紙（図示せず）が取り付けられている。ワッペン本体３、台紙２などのその他の構成は、実施例１又は実施例２の構成と略同じ構成であるため、詳細な説明を省略する。なお、図示していないが、このわに口クリップ４４に安全ピンが取り付けられた両用タイプの構成のものを用いることができる。
【００３９】
実施例３の簡易型シールワッペン４１を組み立てる際には、ワッペン本体３を台紙２と共に、折り曲げ線４部分で二つに折り、折り目を付けた後に、ワッペン本体３を台紙２から剥がす。その後、表示部５部分の粘着剤９と支持部８部分の粘着剤９とを貼り合わせてワッペンの体を成すようにする。最後に、支持部８に、名札用クリップ４２の基盤部４３を、粘着剤の粘着力で取り付けて組み立てが完了する。この名札用クリップ４２の基盤部４３に粘着剤を塗布して取り付ける。この粘着剤の塗布に代えて両面テープを用いることも可能である。
【実施例４】
【００４０】
＜実施例４の簡易型シールワッペン＞
図１４は実施例４の簡易型シールワッペンを示し、（ａ）は組み立てる前の状態の表面図、（ｂ）は裏面図である。図１５は実施例４の簡易型シールワッペンを組み立てた状態を示す図であり、（ａ）は支持部、（ｂ）は安全ピンを通した状態の表示部である。
実施例４の簡易型シールワッペン５１は、衣服に留める部材として、安全ピンなどの留め具６を使用するが、支持部８又は折り曲げ線４に安全ピンなどの留め具６用の通し穴７が開けられていない。ワッペン本体３を折り曲げた際に、折り曲げ線４部分に安全ピン（留め具６）を通す筒状部５２が形成されるようになっている。実施例４の簡易型シールワッペン５１は細長い形状のシールワッペンに適している。組み立てた状態で横幅が広いと、大きな安全ピン（留め具６）を用いることになるからである。
【００４１】
実施例４の簡易型シールワッペン５１は、粘着剤９は、ワッペン本体３の表示部５と支持部８の裏面それぞれに塗布するが、折り曲げ線４部分には略長方形状に部分的に塗布しない、不塗布部分９ｂにすることができる。なお、実施例４の簡易型シールワッペン５１についても、折り曲げ線４部分で二つ折りにして、表示部５の粘着剤９と支持部８の粘着剤９とを貼り合わせる際に、多少の位置ずれが生じても、表示部５の外形縁５ａが、支持部８の外形縁８ａより大きくして、常に支持部８の外形縁８ａが表示部５の外形縁５ａに隠れるようにする。そのために見栄えが悪くなることがない。ワッペン本体３の表示部５の外周部分の裏面には粘着剤９を塗布しない。
組み立て方法等は実施例１，２，３の説明と略同様である。
【００４２】
なお、本発明は、ワッペンの組み立て前の形状では薄いシート状のもので嵩張らず、その保管が容易であり、使用に際して容易に組み立てることができ、数週間から数か月の使用に耐えることができる安価な構成であれば、上述した発明の実施の形態に限定されず、本発明の要旨を逸脱しない範囲で種々変更できることは勿論である。
【産業上の利用可能性】
【００４３】
本発明の簡易型シールワッペンは、イベントや展示会などの入場パス・スタッフパスとしてのワッペン、安全衛生、安全管理、安全第一、危険予知、指差し確認、強化期間など安全標識用や啓発用のワッペン、販売促進用のワッペン、キャンペーン中、セール中、実施中などのワッペンとして利用することができる。
【符号の説明】
【００４４】
１，２１，３１，４１，５１  簡易型シールワッペン
２  台紙
３  ワッペン本体
４  折り曲げ線
５  表示部
５ａ  表示部の外形縁
６  留め具
７  通し穴
８  支持部
８ａ  支持部の外形縁
９  粘着剤
９ａ  粘着剤の不塗布部分
９ｂ  粘着剤の不塗布部分
２２  通し穴
４２  名札用クリップ
４３  基盤部
４４  わに口クリップ
５２  筒状部
【要約】
【課題】組み立て前の形状では薄いシート状の嵩張らず、その保管が容易であり、使用に際して容易に組み立てることができ、数週間から数か月の使用に耐えることができ、安価に製造できる。
【解決手段】シート材に形成された折り曲げ線４を挟み、その一側に所定の事項が表示された表示部５と、その他側に安全ピンなどの留め具６用の通し穴７を有する支持部８から成るワッペン本体３と、ワッペン本体３のシート材の裏面に塗布された粘着剤９と、ワッペン本体３の裏面に剥離自在に貼り付けられた台紙２と、から成り、ワッペン本体３を台紙２と共に、折り曲げ線４部分で二つに折り、支持部８の通し穴７に留め具６を取り付け、ワッペン本体３を台紙２から剥がし、表示部５部分の粘着剤９と支持部８部分の粘着剤９とが貼り合わせられるように構成した。
【選択図】図１【図１】
0006651176.tif 000002
【図２】
0006651176.tif 000003
【図３】
0006651176.tif 000004
【図４】
0006651176.tif 000005
【図５】
0006651176.tif 000006
【図６】
0006651176.tif 000007
【図７】
0006651176.tif 000008
【図８】
0006651176.tif 000009
【図９】
0006651176.tif 000010
【図１０】
0006651176.tif 000011
【図１１】
0006651176.tif 000012
【図１２】
0006651176.tif 000013
【図１３】
0006651176.tif 000014
【図１４】
0006651176.tif 000015
【図１５】
0006651176.tif 000016